(57)【要約】【課題】ファンレス仕様であってもオゾン等のガスを筐体内で強制的に拡散又は筐体外に強制的に排出させることが可能な画像形成装置を提供すること。【解決手段】第１実施形態の画像形成装置１Ａでは、筐体２に対して開閉自在に設けられた開閉扉７を備える。開閉扉７の開閉動作の動きに連動して、回動板１１が、筐体２内に各矢印１８に参照されるような気流を発生させる。従って、筐体２内に設けられた帯電器５から発生したオゾンは、開閉扉７の開閉動作の動きに連動して、回動板１１から各矢印１８に参照されるように発生された気流によって筐体２内で拡散される。また、筐体２内の帯電器５から発生したオゾンは、開閉扉７の開閉動作の動きに連動して、回動板１１から各矢印１８に参照されるように発生された気流とともに排出口８に向かって流れて筐体２外に排出される。【選択図】図４
2013072909.tif 000002
【特許請求の範囲】
【請求項１】
画像形成部と、
前記画像形成部が内設された筐体と、
前記筐体に対して開閉自在に設けられた開閉扉と、
前記開閉扉の開閉動作に連動して前記筐体内に気流を発生させる気流発生部と、を備えたこと、を特徴とする画像形成装置。
【請求項２】
請求項１に記載する画像形成装置であって、
前記画像形成部は帯電器を備え、
前記帯電器の周辺に前記気流発生部を設けたこと、を特徴とする画像形成装置。
【請求項３】
請求項１に記載する画像形成装置であって、
前記画像形成部は帯電器を備え、
前記気流発生部は前記帯電器に向けて気流を発生させること、を特徴とする画像形成装置。
【請求項４】
請求項１乃至請求項３のいずれか一つに記載する画像形成装置であって、
前記筐体に設けられた排出口を備え、
前記排出口と前記気流発生部との間に前記画像形成部を設けたこと、を特徴とする画像形成装置。
【請求項５】
請求項４に記載する画像形成装置であって、
前記開閉扉に対し開動作及び閉動作のうちいずれか一方の動作がなされる際に前記気流発生部が排気を行うこと、を特徴とする画像形成装置。
【請求項６】
請求項４に記載する画像形成装置であって、
前記開閉扉に対し開動作及び閉動作のうちいずれか一方の動作がなされる際に前記気流発生部が吸気を行う一方、前記開閉扉に対し開動作及び閉動作のうちの他方の動作がなされる際に前記気流発生部が排気を行うこと、を特徴とする画像形成装置。
【請求項７】
請求項１乃至請求項３のいずれか一つに記載する画像形成装置であって、
前記筐体に設けられた排出口を備え、
前記排出口と前記画像形成部との間に前記気流発生部を設けたこと、を特徴とする画像形成装置。
【請求項８】
請求項７に記載する画像形成装置であって、
前記開閉扉が開動作される際に前記画像形成部の側から前記気流発生部が吸気を行う一方、前記開閉扉が閉動作される際に前記排出口の側へ前記気流発生部が排気を行うこと、を特徴とする画像形成装置。
【発明の詳細な説明】
【技術分野】
【０００１】
本発明は、オゾン等のガスを筐体内で拡散又は筐体外に排出させる画像形成装置に関するものである。
【背景技術】
【０００２】
従来、画像形成装置では、放電時にオゾン等のガスが大量に生成される。オゾン等のガスは出力画像の品質低下につながる。
【０００３】
そこで、下記特許文献１に記載の技術では、機内に停滞するオゾンを排気ファンの逆転によって拡散せしめていた。あるいは、下記特許文献２に記載の技術では、排気ファンによってオゾン等のガスを機外に排気していた。
【先行技術文献】
【特許文献】
【０００４】
【特許文献１】特開平１−２００３７５号公報
【特許文献２】特開２００５−２４１９００号公報
【発明の概要】
【発明が解決しようとする課題】
【０００５】
しかしながら、上記特許文献１に記載の技術でも、上記特許文献２に記載の技術でも、排気ファンを使用していた。
【０００６】
従って、排気ファンを備えないファンレス仕様の画像形成装置においては、上記特許文献１に記載の技術も、上記特許文献２に記載の技術も利用できない。つまり、ファンレス仕様では、自然対流によってオゾン等のガスを筐体外に排出していた。もっとも、自然対流による筐体外へのガス排出は十分でない。よって、何らかの強制的な排気対策を施さなければ、筐体内にオゾン等のガスが充満することになる。充満したオゾン等のガスは、画像形成装置の開閉扉を開いたときに筐体外に大量に排出される。そのため、開閉扉を開いた際には、ユーザーにとって不快となる。
【０００７】
そこで、本発明は、上述した点を鑑みてなされたものであり、ファンレス仕様であってもオゾン等のガスを筐体内で強制的に拡散又は筐体外に強制的に排出させることが可能な画像形成装置を提供することを課題とする。
【課題を解決するための手段】
【０００８】
この課題を解決するためになされた請求項１に係る発明は、画像形成装置であって、画像形成部と、前記画像形成部が内設された筐体と、前記筐体に対して開閉自在に設けられた開閉扉と、前記開閉扉の開閉動作に連動して前記筐体内に気流を発生させる気流発生部と、を備えたこと、を特徴とする。
【０００９】
また、請求項２に係る発明は、請求項１に記載する画像形成装置であって、前記画像形成部は帯電器を備え、前記帯電器の周辺に前記気流発生部を設けたこと、を特徴とする。
【００１０】
また、請求項３に係る発明は、請求項１に記載する画像形成装置であって、前記画像形成部は帯電器を備え、前記気流発生部は前記帯電器に向けて気流を発生させること、を特徴とする。
【００１１】
また、請求項４に係る発明は、請求項１乃至請求項３のいずれか一つに記載する画像形成装置であって、前記筐体に設けられた排出口を備え、前記排出口と前記気流発生部との間に前記画像形成部を設けたこと、を特徴とする。
【００１２】
また、請求項５に係る発明は、請求項４に記載する画像形成装置であって、前記開閉扉に対し開動作及び閉動作のうちいずれか一方の動作がなされる際に前記気流発生部が排気を行うこと、を特徴とする。
【００１３】
また、請求項６に係る発明は、請求項４に記載する画像形成装置であって、前記開閉扉に対し開動作及び閉動作のうちいずれか一方の動作がなされる際に前記気流発生部が吸気を行う一方、前記開閉扉に対し開動作及び閉動作のうちの他方の動作がなされる際に前記気流発生部が排気を行うこと、を特徴とする。
【００１４】
また、請求項７に係る発明は、請求項１乃至請求項３のいずれか一つに記載する画像形成装置であって、前記筐体に設けられた排出口を備え、前記排出口と前記画像形成部との間に前記気流発生部を設けたこと、を特徴とする。
【００１５】
また、請求項８に係る発明は、請求項７に記載する画像形成装置であって、前記開閉扉が開動作される際に前記画像形成部の側から前記気流発生部が吸気を行う一方、前記開閉扉が閉動作される際に前記排出口の側へ前記気流発生部が排気を行うこと、を特徴とする。
【発明の効果】
【００１６】
すなわち、請求項１に係る発明の画像形成装置では、筐体に対して開閉自在に設けられた開閉扉を備える。開閉扉の開閉動作に連動して気流発生部が筐体内に気流を発生させる。従って、筐体に内設された画像形成部から発生したオゾンは、開閉扉の開閉動作がなされたことに連動して、気流発生部から発生された気流により筐体内で拡散される。つまり、ファンレス仕様であってもオゾン等のガスを筐体内で強制的に拡散させることが可能である。
【００１７】
さらに、請求項２に係る発明の画像形成装置では、画像形成部に備えられた帯電器の周辺に気流発生部を設けている。帯電器はオゾンの発生源である。つまり、筐体内ではオゾンの発生源の周辺で気流が発生する。よって、オゾン等のガスを筐体内で効率良く強制的に拡散させることが可能である。
【００１８】
さらに、請求項３に係る発明の画像形成装置では、気流発生部は帯電器に向けて気流を発生させる。つまり、筐体内ではオゾンの発生源に向けて気流が発生する。よって、オゾン等のガスを筐体内で一段と効率良く強制的に拡散させることが可能である。
【００１９】
さらに、請求項４に係る発明の画像形成装置では、筐体に設けられた排出口と気流発生部との間に画像形成部を設けている。従って、筐体内の画像形成部から発生したオゾンは、開閉扉の開閉動作がなされたことに連動して、気流発生部から発生された気流とともに排出口に向かって流れて筐体外に排出される。つまり、ファンレス仕様であってもオゾン等のガスを筐体外に強制的に排出させることも可能である。
【００２０】
さらに、請求項５に係る発明の画像形成装置では、開閉扉に対し開動作及び閉動作のうちいずれか一方の動作がなされる際に気流発生部が気流を発生させて排気を行う。つまり、開閉扉の開動作がなされたことに連動して、気流発生部が気流を発生させて排気が行われれば、ファンレス仕様であってもオゾン等のガスを筐体外に強制的に排出させることが可能である。これに対して、開閉扉の閉動作がなされたことに連動して、気流発生部が気流を発生させて排気が行われれば、ファンレス仕様であってもオゾン等のガスを筐体外に強制的に排出させることが可能である。
【００２１】
さらに、請求項６に係る発明の画像形成装置では、開閉扉に対し開動作及び閉動作のうち一方の動作がなされる際に気流発生部が吸気を行う。これに対して、開閉扉に対し開動作及び閉動作のうちの他方の動作がなされる際に気流発生部が排気を行う。つまり、気流発生部が気流を発生させるための吸気は、開閉扉の開動作及び閉動作のいずれか一方がなされたことに連動して、オゾン等のガスとともに気流発生部に吸い込まれる。さらに、開閉扉の開動作及び閉動作のうちの他方の動作がなされたことに連動して、オゾン等のガスが気流発生部から筐体外に排出される。よって、オゾン等のガスを筐体外に効率良く強制的に排出させることが可能である。
【００２２】
さらに、請求項７に係る発明の画像形成装置では、筐体に設けられた排出口と画像形成部との間に気流発生部を設けている。つまり、排出口と気流発生部が近くに位置する。よって、気流発生部から発生された気流の殆どを排出口から筐体外に強制的に排出させる機構設計が容易となる。
【００２３】
殊に、請求項８に係る発明の画像形成装置では、開閉扉が開動作される際に気流発生部が画像形成部の側から吸気を行う。これに対して、開閉扉が閉動作される際に気流発生部が排出口の側へ排気を行う。つまり、開閉扉の開動作がなされたことに連動して、オゾン等のガスは、画像形成部の側から気流発生部に吸い込まれ、気流発生部が気流を発生させるためのガスの一部又は全部となる。さらに、開閉扉の閉動作がなされたことに連動して、オゾン等のガスを含んだ気流は、気流発生部から排出口の側に向かって発生する。そのため、オゾン等のガスを含んだ気流の殆どは、排出口から筐体外に排出される。よって、オゾン等のガスを筐体外に一段と効率良く強制的に排出させることが可能である。
【００２４】
さらに、各請求項に係る発明の画像形成装置では、開閉扉の開閉動作がなされたことに連動して、オゾン等のガスを筐体内で強制的に拡散又は筐体外に強制的に排出させる。つまり、強制的なガス拡散又は強制的なガス排出の駆動源を開閉扉の開閉動作からとっている。よって、同装置の消費電力を抑えることができる。
【００２５】
さらに、各請求項に係る発明の画像形成装置では、開閉扉の開閉動作がなされたことに連動して、オゾン等のガスを筐体内で強制的に拡散又は筐体外に強制的に排出させる。つまり、強制的なガス拡散又は強制的なガス排出が開閉扉の開閉動作と同時に行われる。よって、開閉扉の開閉動作に対するダンパー効果がある。
【００２６】
さらに、各請求項に係る発明の画像形成装置では、オゾン等のガスを筐体内で強制的に拡散又は筐体外に強制的に排出させる。つまり、筐体内にオゾン等のガスが充満することはない。よって、オゾン等のガスでユーザーに不快感を与えることはない。
【図面の簡単な説明】
【００２７】
【図１】本発明の各実施形態における画像形成装置１の外観を表した斜視図である。
【図２】一部構成を省略し、各実施形態における画像形成装置１の共通箇所を表すために、図１の中心線Ａ−Ａで画像形成装置１を切断した断面を表した断面図である。
【図３】各実施形態における画像形成装置１が備える排出口８の開閉動作のメカニズムを説明するための説明図である。
【図４】一部構成を省略し、本発明の第１実施形態における画像形成装置１Ａを図１の中心線Ａ−Ａで切断した断面を表した断面図である。
【図５】第１実施形態における画像形成装置１が備えるクランク機構１２の往復動作のメカニズムを説明するための説明図である。
【図６】一部構成を省略し、本発明の第２実施形態における画像形成装置１Ｂで開閉扉７が開動作される際の画像形成装置１Ｂを図１の中心線Ａ−Ａで切断した断面を表した断面図である。
【図７】一部構成を省略し、第２実施形態における画像形成装置１Ｂで開閉扉７が閉動作される際の画像形成装置１Ｂを図１の中心線Ａ−Ａで切断した断面を表した断面図である。
【図８】一部構成を省略し、本発明の第３実施形態における画像形成装置１Ｃで開閉扉７が開動作される際の画像形成装置１Ｃを図１の中心線Ａ−Ａで切断した断面を表した断面図である。
【図９】一部構成を省略し、第３実施形態における画像形成装置１Ｃで開閉扉７が閉動作される際の画像形成装置１Ｃを図１の中心線Ａ−Ａで切断した断面を表した断面図である。
【図１０】一部構成を省略し、本発明の第４実施形態における画像形成装置１Ｄで開閉扉７が開動作される際の画像形成装置１Ｄを図１の中心線Ａ−Ａで切断した断面を表した断面図である。
【図１１】一部構成を省略し、第４実施形態における画像形成装置１Ｄで開閉扉７が開動作される際の画像形成装置１Ｄを図１の中心線Ａ−Ａで切断した断面を表した断面図である。
【図１２】一部構成を省略し、第４実施形態における画像形成装置１Ｄで開閉扉７が開動作される際の画像形成装置１Ｄを図１の中心線Ａ−Ａで切断した断面を表した断面図である。
【図１３】一部構成を省略し、第４実施形態における画像形成装置１Ｄで開閉扉７が開動作される際の画像形成装置１Ｄを図１の中心線Ａ−Ａで切断した断面を表した断面図である。
【図１４】一部構成を省略し、第４実施形態における画像形成装置１Ｄで開閉扉７が閉動作される際の画像形成装置１Ｄを図１の中心線Ａ−Ａで切断した断面を表した断面図である。
【図１５】一部構成を省略し、第４実施形態における画像形成装置１Ｄで開閉扉７が閉動作される際の画像形成装置１Ｄを図１の中心線Ａ−Ａで切断した断面を表した断面図である。
【図１６】一部構成を省略し、第４実施形態における画像形成装置１Ｄで開閉扉７が開閉動作される際の画像形成装置１Ｄを図１の中心線Ａ−Ａで切断した断面を表した断面図である。
【図１７】一部構成を省略し、本発明の第５実施形態における画像形成装置１Ｅで開閉扉７が開動作される際の画像形成装置１Ｅを図１の中心線Ａ−Ａで切断した断面を表した断面図である。
【図１８】一部構成を省略し、第５実施形態における画像形成装置１Ｅで開閉扉７が開動作される際の画像形成装置１Ｅを図１の中心線Ａ−Ａで切断した断面を表した断面図である。
【図１９】一部構成を省略し、第５実施形態における画像形成装置１Ｅで開閉扉７が開動作される際の画像形成装置１Ｅを図１の中心線Ａ−Ａで切断した断面を表した断面図である。
【図２０】一部構成を省略し、第５実施形態における画像形成装置１Ｅで開閉扉７が閉動作される際の画像形成装置１Ｅを図１の中心線Ａ−Ａで切断した断面を表した断面図である。
【図２１】一部構成を省略し、第５実施形態における画像形成装置１Ｅで開閉扉７が閉動作される際の画像形成装置１Ｅを図１の中心線Ａ−Ａで切断した断面を表した断面図である。
【図２２】一部構成を省略し、本発明の第６実施形態における画像形成装置１Ｆで開閉扉７が開動作される際の画像形成装置１Ｆを図１の中心線Ａ−Ａで切断した断面を表した断面図である。
【図２３】一部構成を省略し、第６実施形態における画像形成装置１Ｆで開閉扉７が閉動作される際の画像形成装置１Ｆを図１の中心線Ａ−Ａで切断した断面を表した断面図である。
【図２４】図２４（ａ）は、第６実施形態において、シリンダ６１の動作を説明するための説明図である。図２４（ｂ）は、第６実施形態において、シリンダ６１の動作を説明するための説明図である。図２４（ｃ）は、第６実施形態において、シリンダ６１の動作を説明するための説明図である。
【図２５】第６実施形態の変形例であるシリンダ７１のスイングキャッチ方式を説明するための説明図である。
【図２６】第６実施形態の変形例であるシリンダ８１のウエハキャッチ方式を説明するための説明図である。
【図２７】第６実施形態の変形例であるシリンダ９１の動作を説明するための説明図である。
【図２８】第６実施形態の変形例であるシリンダ１０１の動作を説明するための説明図である。
【図２９】第６実施形態の変形例であるシリンダ９１の動作を説明するための説明図である。
【図３０】各実施形態の変形例である排出口２０８の開閉動作のメカニズムを説明するための説明図である。
【発明を実施するための形態】
【００２８】
［１．画像形成装置の概要］
図１に表された画像形成装置１の外観は、以下の各実施形態で共通する。画像形成装置１は、筐体２を備える。筐体２は、開閉扉７を備える。開閉扉７は、正逆方向に回転可能に筐体２に支持される。図２に表された画像形成装置１の断面は、以下の各実施形態で共通する箇所を表す。図２に表された画像形成装置１は、上記筐体２、レーザースキャナ３、感光体４、帯電器５、定着器６、上記開閉扉７、排出口８、給紙ローラＲ１、転写ローラＲ２、及び一対の排紙ローラＲ３を有する。感光体４、及び帯電器５は、画像形成部の一例である。帯電器５はスコロトロン型帯電器である。帯電器５からはオゾンが発生し得る。
【００２９】
符号９の二点鎖線は、筐体２内に収められたシートＳの搬送経路を示す。つまり、シートＳは、給紙ローラＲ１の一方向の回転によって、感光体４と転写ローラＲ２との間に運び送られる。その後、シートＳは、転写ローラＲ２の一方向の回転によって、定着器６を介して、一対の排紙ローラＲ３の間に運び送られる。その後、シートＳは、一対の排紙ローラＲ３が互いに逆方向の回転を行うことによって、筐体２外に排紙される。
【００３０】
また、以下の各実施形態では、ファンとは異なる気流発生部が、筐体２内に存在するスペースにおいて適当な位置に置かれる。
【００３１】
図２では、図示内容を分かり易くするために、断面部分に斜線を記していない。また、図２で表された断面は、図１に表された画像形成装置１の一部を省略している。また、開閉扉７については、開いた状態と閉じた状態を同時に記している。これらの点は、図４、図６乃至図２３でも同じである。
【００３２】
排出口８は筐体２に設けられている。排出口８は、開閉扉７が正逆方向に回転可能に支持される側の筐体２に設けられている。従って、画像形成装置１を操作しているときのユーザーは、筐体２の排出口８が備えられた側と反対側にいることが多い。図３に排出口８を表す。図３に表された排出口８では、各ピン８Ｂを介して、多数の横フィン８Ａが正逆方向に回転可能に且つ一緒に同方向に回転可能に、筐体２に支持される。つまり、多数の横フィン８Ａが一緒に紙面上を反時計方向又は時計方向に回転することにより、排出口８が開閉される。
【００３３】
但し、排出口８は、説明の便宜上、以下の各実施形態において常時開かれた状態にあるものとする。尚、以下の第１，第２，第３，第６実施形態における排出口８と比べて、以下の第４，第５実施形態における排出口８は、筐体２に設けられた位置が若干高い。
【００３４】
尚、以下の各実施形態の説明において、各実施形態における構成と共通の構成については、図１及び図２における符号と同一の符号を付す。さらに、同一の符号が付された構成については、その説明を省略する。
【００３５】
［２．第１実施形態の画像形成装置］
図４に表された本発明の第１実施形態の画像形成装置１Ａでは、気流発生部の一例である回動板１１がレーザースキャナ３下のスペースに正逆方向に回転可能に筐体２に支持される。回動板１１が正逆方向に回転可能に筐体２に支持される側は排気口８の正面向かい側である。回動板１１にはクランク機構１２が設けられている。クランク機構１２はプーリー１３を有する。一方、開閉扉７を筐体２で正逆方向に回転可能に支持する軸には扇状ギア１４が設けられている。さらに、扇状ギア１４に対し噛み合うギアを有する伝動プーリー１５が設けられている。そして、伝動プーリー１５とクランク機構１２のプーリー１３との間には伝動ベルト１６が架けられている。
【００３６】
従って、開閉扉７の開閉動作が行われると、扇状ギア１４が紙面上を反時計方向又は時計方向に回転する。このような扇状ギア１４の回転は、伝動プーリー１５、伝動ベルト１６、プーリー１３、及びクランク機構１２を介して伝達されることによって、回動板１１が紙面上を上下に往復する運動に変わる。図５の二点鎖線は、クランク機構１２のピン１７の移動軌跡を表す。図５の二点鎖線で表されるように、クランク機構１２のピン１７は、プーリー１３を正逆方向に回転可能にさせ且つプーリー１３の回転に連動して上下する。クランク機構１２のピン１７は、クランク機構１２を回動板１１に定まった位置に動かないようにするものである。つまり、回動板１１は、プーリー１３が紙面上を反時計方向又は時計方向に回転する動きに合わせて、紙面上を上下に往復運動する。
【００３７】
これにより、図４に表されたように、開閉扉７の開閉動作の動きに連動して、回動板１１はいわゆる団扇のような動きをする。そのため、各矢印１８に参照されるような気流が筐体２内に発生する。その気流１８は筐体２内で拡散しながら排気口８から筐体２外へ流れる。よって、帯電器５の周辺では、オゾンの濃度が局所的に高い状態から低い状態に移って行く。
【００３８】
すなわち、第１実施形態の画像形成装置１Ａでは、筐体２に対して開閉自在に設けられた開閉扉７を備える。開閉扉７の開閉動作の動きに連動して、気流発生部の一例である回動板１１が、筐体２内に各矢印１８に参照されるような気流を発生させる。従って、筐体２内に設けられた画像形成部の一例である帯電器５から発生したオゾンは、開閉扉７の開閉動作の動きに連動して、気流発生部の一例である回動板１１から各矢印１８に参照されるように発生された気流によって筐体２内で拡散される。つまり、ファンレス仕様であってもオゾン等のガスを筐体２内で強制的に拡散させることが可能である。
【００３９】
さらに、第１実施形態の画像形成装置１Ａでは、気流発生部の一例である回動板１１は帯電器５に向けて、各矢印１８に参照されるような気流を発生させる。つまり、筐体２内では、オゾンの発生源である帯電器５に向けて、各矢印１８に参照されるような気流が発生する。よって、オゾン等のガスを筐体２内で一段と効率良く強制的に拡散させることが可能である。
【００４０】
さらに、第１実施形態の画像形成装置１Ａでは、筐体２に設けられた排出口８と気流発生部の一例である回動板１１との間に画像形成部の一例である帯電器５を設けている。従って、筐体２内の画像形成部の一例である帯電器５から発生したオゾンは、開閉扉７の開閉動作の動きに連動して、気流発生部の一例である回動板１１から各矢印１８に参照されるように発生された気流とともに排出口８に向かって流れて筐体２外に排出される。つまり、ファンレス仕様であってもオゾン等のガスを筐体２外に強制的に排出させることも可能である。
【００４１】
さらに、第１実施形態の画像形成装置１Ａでは、開閉扉７に対し開動作及び閉動作のうちいずれか一方の動作がなされる際に、気流発生部の一例である回動板１１が各矢印１８に参照されるような気流を発生させる。この気流１８により、筐体２内の気体を筐体２外に排出口８を介して排出する。つまり、開閉扉７の開動作の動きに連動して、気流発生部の一例である回動板１１が各矢印１８に参照されるような気流を発生させる。この気流１８により、筐体２内の気体が筐体２外に排出口８を介して排出される。よって、ファンレス仕様であってもオゾン等のガスを筐体２外に強制的に排出させることが可能である。また、開閉扉７の閉動作の動きに連動して、気流発生部の一例である回動板１１が各矢印１８に参照されるような気流を発生させる。この気流１８により、筐体２内の気体が筐体２外に排出口８を介して排出される。よって、ファンレス仕様であってもオゾン等のガスを筐体２外に強制的に排出させることが可能である。
【００４２】
［３．第２実施形態の画像形成装置］
図６及び図７に表された本発明の第２実施形態の画像形成装置１Ｂでは、気流発生部の一例である鞴２１がレーザースキャナ３下のスペースに伸び縮み可能に設けられている。鞴２１が伸び縮み可能に設けられる側は排気口８の正面向かい側である。鞴２１にはリンク機構２２が設けられている。一方、開閉扉７を筐体２で正逆方向に回転可能に支持する軸にはクランク機構２３が設けられている。さらに、クランク機構２３は上記リンク機構２２に接続されている。
【００４３】
従って、図６に表されたように、開閉扉７の開動作が行われると、開閉扉７が紙面上を時計方向に回転する開動作の動きをクランク機構２３が上下運動に変える。その上下運動は、リンク機構２２を介して鞴２１に伝達されることによって、鞴２１を伸ばす。そのため、各矢印２４に参照されるような気流が筐体２内に発生する。その気流２４は、排気口８等からも筐体２内に流れ、帯電器５で発生したオゾン２５等を含んだ状態で鞴２１に吸い込まれる。
【００４４】
その後に、図７に表されたように、開閉扉７の閉動作が行われると、開閉扉７が紙面上を反時計方向に回転する閉動作の動きをクランク機構２３が上下運動に変える。その上下運動は、リンク機構２２を介して鞴２１に伝達されることによって、鞴２１を縮める。そのため、各矢印２６に参照されるような気流が筐体２内に発生する。その気流２６は、帯電器５で発生したオゾン２５等を含んだ状態で鞴２１から筐体２内に排出されたものである。その後、気流２６は、筐体２内で拡散しながら排気口８から筐体２外へ流れる。よって、帯電器５の周辺では、オゾン２５の濃度が局所的に高い状態から低い状態に移って行く。
【００４５】
すなわち、第２実施形態の画像形成装置１Ｂでは、筐体２に対して開閉自在に設けられた開閉扉７を備える。開閉扉７の開閉動作の動きに連動して気流発生部の一例である鞴２１が、筐体２内に各矢印２４，２６に参照されるような気流を発生させる。従って、筐体２内に設けられた画像形成部の一例である帯電器５から発生したオゾン２５は、開閉扉７の開閉動作の動きに連動して、気流発生部の一例である鞴２１から各矢印２４，２６に参照されるように発生された気流によって筐体２内で拡散される。つまり、ファンレス仕様であってもオゾン２５等のガスを筐体２内で強制的に拡散させることが可能である。
【００４６】
さらに、第２実施形態の画像形成装置１Ｂでは、気流発生部の一例である鞴２１は帯電器５に向けて、各矢印２４，２６に参照されるような気流を発生させる。つまり、筐体２内では、オゾン２５の発生源である帯電器５に向けて、各矢印２４，２６に参照されるような気流が発生する。よって、オゾン２５等のガスを筐体２内で一段と効率良く強制的に拡散させることが可能である。
【００４７】
さらに、第２実施形態の画像形成装置１Ｂでは、筐体２に設けられた排出口８と気流発生部の一例である鞴２１との間に画像形成部の一例である帯電器５を設けている。従って、筐体２内の画像形成部の一例である帯電器５から発生したオゾン２５は、開閉扉７の閉動作の動きに連動して、気流発生部の一例である鞴２１から各矢印２６に参照されるように発生された気流とともに排出口８に向かって流れて筐体２外に排出される。つまり、ファンレス仕様であってもオゾン２５等のガスを筐体２外に強制的に排出させることも可能である。
【００４８】
さらに、第２実施形態の画像形成装置１Ｂでは、開閉扉７に対し開動作及び閉動作のうちいずれか一方の動作がなされる際に、気流発生部の一例である鞴２１が各矢印２６に参照されるような気流を発生させる。この気流２６により、筐体２内の気体を筐体２外に排出口８を介して排出する。具体的には、開閉扉７の閉動作の動きに連動して、気流発生部の一例である鞴２１が各矢印２６に参照されるような気流を発生させる。この気流２６により、筐体２内の気体が筐体２外に排出口８を介して排出される。よって、ファンレス仕様であってもオゾン２５等のガスを筐体２外に強制的に排出させることが可能である。
【００４９】
さらに、第２実施形態の画像形成装置１Ｂでは、開閉扉７が開動作される際に気流発生部の一例である鞴２１が気体を吸い込む。これに対して、開閉扉７が閉動作される際に気流発生部の一例である鞴２１が気体を排出する。つまり、気流発生部の一例である鞴２１が各矢印２４に参照されるような気流を発生させるための気体は、開閉扉７の開動作の動きに連動して、オゾン２５等のガスとともに気流発生部の一例である鞴２１に吸い込まれる。さらに、開閉扉７の閉動作の動きに連動して、オゾン２５等のガスが気流発生部の一例である鞴２１から各矢印２６に参照されるような気流とともに排出される。この気流２６により、オゾン２５等のガスが含まれた筐体２内の気体が筐体２外に排出口８を介して排出される。よって、オゾン２５等のガスを筐体２外に効率良く強制的に排出させることが可能である。
【００５０】
［４．第３実施形態の画像形成装置］
図８及び図９に表された本発明の第３実施形態の画像形成装置１Ｃでは、気流発生部の一例であるクロスフローファン３１がレーザースキャナ３下のスペースに正逆方向に回転可能に筐体２に設けられている。クロスフローファン３１が正逆方向に回転可能に筐体２に設けられる側は排気口８の正面向かい側である。クロスフローファン３１はプーリー３２を有する。一方、開閉扉７を筐体２で正逆方向に回転可能に支持する軸には扇状ギア３３が設けられている。さらに、扇状ギア３３に対し噛み合うギアを有する伝動プーリー３４が設けられている。そして、伝動プーリー３４とクロスフローファン３１のプーリー３２との間には伝動ベルト３５が架けられている。
【００５１】
従って、図８に表されたように、開閉扉７の開動作が行われると、扇状ギア３３が紙面上を時計方向に回転する。このような扇状ギア３３の回転は、伝動プーリー３４、伝動ベルト３５、及びプーリー３２を介して伝達されることによって、クロスフローファン３１が紙面上を時計方向３６に回る回転に変わる。そのため、各矢印３７に参照されるような気流が筐体２内に発生する。その気流３７は、排気口８等からも筐体２内に流れる。さらに、筐体２内の気流３７は、帯電器５で発生したオゾン３８等とともにクロスフローファン３１により排気口８の正面向かい側へ流れる。その気流３７の一部は、筐体２の下から筐体２外へ流れる。
【００５２】
その後に、図９に表されたように、開閉扉７の閉動作が行われると、扇状ギア３３が紙面上を反時計方向に回転する。このような扇状ギア３３の回転は、伝動プーリー３４、伝動ベルト３５、及びプーリー３２を介して伝達されることによって、クロスフローファン３１が紙面上を反時計方向３９に回る回転に変わる。そのため、各矢印４０に参照されるような気流が筐体２内に発生する。その筐体２内の気流４０は、帯電器５で発生したオゾン３８等とともにクロスフローファン３１により筐体２内で拡散しながら排気口８から筐体２外へ流れる。よって、帯電器５の周辺では、オゾン３８の濃度が局所的に高い状態から低い状態に移って行く。
【００５３】
すなわち、第３実施形態の画像形成装置１Ｃでは、筐体２に対して開閉自在に設けられた開閉扉７を備える。開閉扉７の開閉動作の動きに連動して気流発生部の一例であるクロスフローファン３１が、筐体２内に各矢印３７，４０に参照されるような気流を発生させる。従って、筐体２内に設けられた画像形成部の一例である帯電器５から発生したオゾン３８は、開閉扉７の開閉動作の動きに連動して、気流発生部一例であるクロスフローファン３１から各矢印３７，４０に参照されるように発生された気流によって筐体２内で拡散される。つまり、ファンレス仕様であってもオゾン３８等のガスを筐体２内で強制的に拡散させることが可能である。
【００５４】
さらに、第３実施形態の画像形成装置１Ｃでは、気流発生部の一例であるクロスフローファン３１は帯電器５に向けて、各矢印３７，４０に参照されるような気流を発生させる。つまり、筐体２内では、オゾン３８の発生源である帯電器５に向けて、各矢印３７，４０に参照されるような気流が発生する。よって、オゾン３８等のガスを筐体２内で一段と効率良く強制的に拡散させることが可能である。
【００５５】
さらに、第３実施形態の画像形成装置１Ｃでは、筐体２に設けられた排出口８と気流発生部の一例であるクロスフローファン３１との間に画像形成部の一例である帯電器５を設けている。従って、筐体２内の画像形成部の一例である帯電器５から発生したオゾン３８は、開閉扉７の閉動作の動きに連動して、気流発生部の一例であるクロスフローファン３１から各矢印４０に参照されるように発生された気流とともに排出口８に向かって流れて筐体２外に排出される。つまり、ファンレス仕様であってもオゾン３８等のガスを筐体２外に強制的に排出させることも可能である。
【００５６】
さらに、第３実施形態の画像形成装置１Ｃでは、開閉扉７に対し開動作及び閉動作のうちいずれか一方の動作がなされる際に、気流発生部の一例であるクロスフローファン３１が各矢印４０に参照されるような気流を発生させる。この気流４０により、筐体２内の気体を筐体２外に排出口８を介して排出する。具体的には、開閉扉７の閉動作の動きに連動して、気流発生部の一例であるクロスフローファン３１が各矢印４０に参照されるような気流を発生させる。この気流４０により、筐体２内の気体が筐体２外に排出口８を介して排出される。よって、ファンレス仕様であってもオゾン３８等のガスを筐体２外に強制的に排出させることが可能である。
【００５７】
［５．第４実施形態の画像形成装置］
図１０乃至図１６に表された本発明の第４実施形態の画像形成装置１Ｄでは、気流発生部の一例である鞴４１が感光体４の帯電器５付近のスペースに伸び縮み可能に設けられている。鞴４１が伸び縮み可能に設けられる側は排気口８の正面向かい側である。鞴４１は、開閉扉７に突き出して設けられている。開閉扉７が閉じた状態では、鞴４１は、壁４３に突き当てられた状態且つ折り畳まれた状態にある。
【００５８】
そして、図１０に表されたように、開閉扉７の開動作が行われると、鞴４１の動作が以下のように行われる。先ず、開動作中の開閉扉７により、図１１に表されたように、鞴４１の端部が引っ張られ、鞴４１が伸びる。そのため、矢印４４に参照されるような気流が筐体２内に発生する。その気流４４は、帯電器５で発生したオゾン４５等を含んだ状態で鞴４１に吸い込まれる。
【００５９】
次に、図１２に表されたように、開動作中の開閉扉７の開角度が大きくなると、鞴４１は壁４３から離れる。以後、開動作中の開閉扉７とともに筐体２から上方向４６に鞴４１が移動する。そして、開閉扉７が完全に開いた状態になると、図１３に表されたように、開閉扉７の裏側凹状スペース４７に鞴４１が収納される。これにより、開閉扉７が完全に開いた状態でも、鞴４１はユーザーから見えにくくなる。
【００６０】
次に、開閉扉７の閉動作が行われると、閉動作中の開閉扉７とともに筐体２に向かって鞴４１が移動する。そして、図１４に表されたように、閉動作中の開閉扉７の閉角度が小さくなると、鞴４１は壁４３に突き当てられる。さらに、開閉扉７の閉動作が行われると、閉動作中の開閉扉７により、図１５に表されたように、鞴４１の端部が押し込まれる。そのため、鞴４１が縮み、矢印４８に参照されるような気流が筐体２内外に発生する。その気流４８は、帯電器５で発生したオゾン４５等を含んだ状態で鞴４１から排出されたものである。その後、気流４８は、筐体２内で拡散しながら排気口８から筐体２外へ流れる。つまり、図１６に表されたように、開閉扉７の開閉動作の動きに連動して、鞴４１が伸び縮みすることにより、帯電器５の周辺では、オゾン４５の濃度が局所的に高い状態から低い状態に移って行く。
【００６１】
すなわち、第４実施形態の画像形成装置１Ｄでは、筐体２に対して開閉自在に設けられた開閉扉７を備える。開閉扉７の開閉動作の動きに連動して、気流発生部の一例である鞴４１が、筐体２内に各矢印４４，４８に参照されるような気流を発生させる。従って、筐体２内に設けられた画像形成部の一例である帯電器５から発生したオゾン４５は、開閉扉７の開閉動作の動きに連動して、気流発生部の一例である鞴４１から各矢印４４，４８に参照されるように発生された気流によって筐体２内で拡散される。つまり、ファンレス仕様であってもオゾン４５等のガスを筐体２内で強制的に拡散させることが可能である。
【００６２】
さらに、第４実施形態の画像形成装置１Ｄでは、画像形成部の一例である帯電器５の周辺に気流発生部の一例である鞴４１を設けている。帯電器５はオゾン４５の発生源である。つまり、筐体２内では、オゾン４５の発生源である帯電器５の周辺で、各矢印４４，４８に参照されるような気流が発生する。よって、オゾン４５等のガスを筐体２内で効率良く強制的に拡散させることが可能である。
【００６３】
さらに、第４実施形態の画像形成装置１Ｄでは、気流発生部の一例である鞴４１は帯電器５に向けて、各矢印４４，４８に参照されるような気流を発生させる。つまり、筐体２内では、オゾン４５の発生源である帯電器５に向けて、各矢印４４，４８に参照されるような気流が発生する。よって、オゾン４５等のガスを筐体２内で一段と効率良く強制的に拡散させることが可能である。
【００６４】
さらに、第４実施形態の画像形成装置１Ｄでは、筐体２に設けられた排出口８と気流発生部の一例である鞴４１との間に画像形成部の一例である帯電器５を設けている。従って、筐体２内の画像形成部の一例である帯電器５から発生したオゾン４５は、開閉扉７の閉動作の動きに連動して、気流発生部の一例である鞴４１から矢印４８に参照されるように発生された気流とともに排出口８に向かって流れて筐体２外に排出される。つまり、ファンレス仕様であってもオゾン４５等のガスを筐体２外に強制的に排出させることも可能である。
【００６５】
さらに、第４実施形態の画像形成装置１Ｄでは、開閉扉７に対し開動作及び閉動作のうちいずれか一方の動作がなされる際に、気流発生部の一例である鞴４１が矢印４８に参照されるような気流を発生させる。この気流４８により、筐体２内の気体を筐体２外に排出口８を介して排出する。具体的には、開閉扉７の閉動作の動きに連動して、気流発生部一例である鞴４１が矢印４８に参照されるような気流を発生させる。この気流４８により、筐体２内の気体が筐体２外に排出口８を介して排出される。よって、ファンレス仕様であってもオゾン４５等のガスを筐体２外に強制的に排出させることが可能である。
【００６６】
さらに、第４実施形態の画像形成装置１Ｄでは、開閉扉７が開動作される際に気流発生部の一例である鞴４１が気体を吸い込む。これに対して、開閉扉７が閉動作される際に気流発生部の一例である鞴４１が気体を排出する。つまり、気流発生部の一例である鞴４１が矢印４４に参照されるような気流を発生させるための気体は、開閉扉７の開動作の動きに連動して、オゾン４５等のガスとともに気流発生部の一例である鞴４１に吸い込まれる。さらに、開閉扉７の閉動作の動きに連動して、オゾン４５等のガスが気流発生部の一例である鞴４１から矢印４８に参照されるような気流とともに排出される。この気流４８により、オゾン４５等のガスが含まれた筐体２内の気体が筐体２外に排出口８を介して排出される。よって、オゾン４５等のガスを筐体２外に効率良く強制的に排出させることが可能である。
【００６７】
［６．第５実施形態の画像形成装置］
図１７乃至図２１に表された本発明の第５実施形態の画像形成装置１Ｅでは、気流発生部の一例である鞴５１が帯電器５付近のスペースに伸び縮み可能に設けられている。鞴５１が伸び縮み可能に設けられる側は排気口８の正面向かい側である。鞴５１は、開閉扉７に突き出して設けられている。開閉扉７が閉じた状態では、鞴５１は、ホームポジションにあり、壁５３に突き当てられた状態且つ折り畳まれた状態にある。
【００６８】
この点、鞴５１が壁５３に突き当てられた状態は、例えば、磁石又はフック等で着脱可能である。また、鞴５１が開閉扉７に突き出して設けられた状態は、回動軸５４を介して実現されている。よって、鞴５１が正逆方向に回転する自由度が増すので、鞴５１を最大限に伸ばすことが可能である。
【００６９】
そして、図１７に表されたように、開閉扉７の開動作が行われると、鞴５１の動作が以下のように行われる。先ず、開動作中の開閉扉７により、図１８に表されたように、鞴５１の端部が回動軸５４を介して引っ張られ、鞴５１が最大限に伸びる。そのため、矢印５５に参照されるような気流が筐体２内に発生する。その気流５５は、帯電器５で発生したオゾン５６等を含んだ状態で鞴５１に吸い込まれる。
【００７０】
次に、図１９に表されたように、開動作中の開閉扉７の開角度が大きくなると、鞴５１は壁５３から離れる。以後、開動作中の開閉扉７とともに筐体２から上方向に鞴５１が移動する。
【００７１】
次に、開閉扉７の閉動作が行われると、閉動作中の開閉扉７とともに筐体２に向かって鞴５１が移動する。そして、図２０に表されたように、閉動作中の開閉扉７の閉角度が小さくなると、鞴５１は壁５３に突き当たりながらガイドされる。さらに、開閉扉７の閉動作が行われると、閉動作中の開閉扉７により、図２１に表されたように、鞴５１の端部が回動軸５４を介して押し込まれる。そのため、鞴５１がホームポジションに戻りながら縮み、矢印５７に参照されるような気流が筐体２内外に発生する。その気流５７は、帯電器５で発生したオゾン５６等を含んだ状態で鞴５１から排出されたものである。その後、気流５７は、筐体２内で拡散しながら排気口８から筐体２外へ流れる。つまり、開閉扉７の開閉動作の動きに連動して、鞴５１が伸び縮みすることにより、帯電器５の周辺では、オゾン５６の濃度が局所的に高い状態から低い状態に移って行く。
【００７２】
すなわち、第５実施形態の画像形成装置１Ｅでは、筐体２に対して開閉自在に設けられた開閉扉７を備える。開閉扉７の開閉動作の動きに連動して、気流発生部の一例である鞴５１が、筐体２内に各矢印５５，５７に参照されるような気流を発生させる。従って、筐体２内に設けられた画像形成部の一例である帯電器５から発生したオゾン５６は、開閉扉７の開閉動作の動きに連動して、気流発生部の一例である鞴５１から各矢印５５，５７に参照されるように発生された気流によって筐体２内で拡散される。つまり、ファンレス仕様であってもオゾン５６等のガスを筐体２内で強制的に拡散させることが可能である。
【００７３】
さらに、第５実施形態の画像形成装置１Ｅでは、画像形成部の一例である帯電器５の周辺に気流発生部の一例である鞴５１を設けている。帯電器５はオゾン５６の発生源である。つまり、筐体２内では、オゾン５６の発生源である帯電器５の周辺で、各矢印５５，５７に参照されるような気流が発生する。よって、オゾン５６等のガスを筐体２内で効率良く強制的に拡散させることが可能である。
【００７４】
さらに、第５実施形態の画像形成装置１Ｅでは、気流発生部の一例である鞴５１は帯電器５に向けて、各矢印５５，５７に参照されるような気流を発生させる。つまり、筐体２内では、オゾン５６の発生源である帯電器５に向けて、各矢印５５，５７に参照されるような気流が発生する。よって、オゾン５６等のガスを筐体２内で一段と効率良く強制的に拡散させることが可能である。
【００７５】
さらに、第５実施形態の画像形成装置１Ｅでは、筐体２に設けられた排出口８と気流発生部の一例である鞴５１との間に画像形成部の一例である帯電器５を設けている。従って、筐体２内の画像形成部の一例である帯電器５から発生したオゾン５６は、開閉扉７の閉動作の動きに連動して、気流発生部の一例である鞴５１から矢印５７に参照されるように発生された気流とともに排出口８に向かって流れて筐体２外に排出される。つまり、ファンレス仕様であってもオゾン５６等のガスを筐体２外に強制的に排出させることも可能である。
【００７６】
さらに、第５実施形態の画像形成装置１Ｅでは、開閉扉７に対し開動作及び閉動作のうちいずれか一方の動作がなされる際に、気流発生部の一例である鞴５１が矢印５７に参照されるような気流を発生させる。この気流５７により、筐体２内の気体を筐体２外に排出口８を介して排出する。具体的には、開閉扉７の閉動作の動きに連動して、気流発生部一例である鞴５１が矢印５７に参照されるような気流を発生させる。この気流５７により、筐体２内の気体が筐体２外に排出口８を介して排出される。よって、ファンレス仕様であってもオゾン５６等のガスを筐体２外に強制的に排出させることが可能である。
【００７７】
さらに、第５実施形態の画像形成装置１Ｅでは、開閉扉７が開動作される際に気流発生部の一例である鞴５１が気体を吸い込む。これに対して、開閉扉７が閉動作される際に気流発生部の一例である鞴５１が気体を排出する。つまり、気流発生部の一例である鞴５１が矢印５５に参照されるような気流を発生させるための気体は、開閉扉７の開動作の動きに連動して、オゾン５６等のガスとともに気流発生部の一例である鞴５１に吸い込まれる。さらに、開閉扉７の閉動作の動きに連動して、オゾン５６等のガスが気流発生部の一例である鞴５１から矢印５７に参照されるような気流とともに排気される。この気流５７により、オゾン５６等のガスが含まれた筐体２内の気体が筐体２外に排出口８を介して排出される。よって、オゾン５６等のガスを筐体２外に効率良く強制的に排出させることが可能である。
【００７８】
［７．第６実施形態の画像形成装置］
図２２及び図２３に表された本発明の第６実施形態の画像形成装置１Ｆでは、気流発生部の一例であるシリンダ６１が感光体４の帯電器５付近のスペースに設けられている。シリンダ６１が筐体２に支持される側は排気口８の正面向かい側の間近である。開閉扉７を正逆方向に回転可能に支持する軸には扇状ギア６２が設けられている。さらに、扇状ギア６２に対し噛み合うピニオン６３が設けられている。さらに、ピニオン６３は、シリンダ６１のピストン軸６４に刻まれたラックに対し噛み合う。
【００７９】
従って、図２２に表されたように、開閉扉７の開動作が行われると、扇状ギア６２が紙面上を時計方向に回転する。このような扇状ギア６２の回転は、ピニオン６３を介して、シリンダ６１のピストン軸６４に刻まれたラックの直線運動に変わる。その直線運動は、シリンダ６１のピストン軸６４を上方向６５に移動させる。そのため、シリンダ６１のピストン６６が上昇し、帯電器５側にあるシリンダ６１の開口部６７Ａから矢印７０Ａに参照されるような気流が筐体２内に発生する。その気流７０Ａは、帯電器５で発生したオゾン６８等とともに、帯電器５側にあるシリンダ６１の開口部６７Ａからシリンダ６１に吸い込まれる。
【００８０】
その後に、図２３に表されたように、開閉扉７の閉動作が行われると、扇状ギア６２が紙面上を反時計方向に回転する。このような扇状ギア６２の回転は、ピニオン６３を介して、シリンダ６１のピストン軸６４に刻まれたラックの直線運動に変わる。その直線運動は、シリンダ６１のピストン軸６４を下方向６９に移動させる。そのため、シリンダ６１のピストン６６が下降し、排気口８側にあるシリンダ６１の開口部６７Ｂから矢印７０Ｂに参照されるような気流が筐体２内外に発生する。その気流７０Ｂは、帯電器５で発生したオゾン６８等を含んだ状態でシリンダ６１の開口部６７Ｂから排出されたものである。その後、気流７０Ｂは、筐体２内で少し拡散させながら排気口８から筐体２外へ流れる。つまり、開閉扉７の開閉動作の動きに連動して、シリンダ６１内の容積が増減することにより、帯電器５の周辺では、オゾン６８の濃度が局所的に高い状態から低い状態に移って行く。
【００８１】
第６実施形態の画像形成装置１Ｆで使用されるシリンダ６１は、開閉扉７の開閉動作が１回行われると、ピストン６６が上下方向に往復運動する。シリンダ６１は、図２４（ａ）に参照されるように、ピストン軸６４、ピストン６６、開口部６７Ａ、及び開口部６７Ｂを有する。開口部６７Ａ、及び開口部６７Ｂは、同じ高さで向かい合って位置する。そして、図２４（ｂ）に参照されるように、ピストン軸６４及びピストン６６が上昇すると、開口部６７Ｂは閉じられることによって、帯電器５側の開口部６７Ａに吸い込まれる気流Ｘが発生する。一方、図２４（ｃ）に参照されるように、ピストン軸６４及びピストン６６が下降すると、開口部６７Ａは閉じられることによって、排気口８側の開口部６７Ｂから吐き出される気流Ｙが発生する。
【００８２】
すなわち、第６実施形態の画像形成装置１Ｆでは、筐体２に対して開閉自在に設けられた開閉扉７を備える。開閉扉７の開閉動作の動きに連動して、気流発生部の一例であるシリンダ６１が、筐体２内に各矢印７０Ａ，７０Ｂに参照されるような気流を発生させる。従って、開閉扉７の開閉動作の動きに連動して、気流発生部の一例であるシリンダ６１から各矢印７０Ａ，７０Ｂに参照されるように気流が発生される。この気流によって筐体２に内設された画像形成部の一例である帯電器５から発生したオゾン６８は、筐体２内でシリンダ６１に吸い込まれる。オゾン６８は、筐体２外にシリンダ６１から吐き出される。つまり、ファンレス仕様であってもオゾン６８等のガスを筐体２内で強制的に吸気、及び筐体２外に強制的に排気させることが可能である。
【００８３】
さらに、第６実施形態の画像形成装置１Ｆでは、画像形成部の一例である帯電器５の周辺に気流発生部の一例であるシリンダ６１を設けている。帯電器５はオゾン６８の発生源である。つまり、筐体２内ではオゾン６８の発生源である帯電器５の周辺で矢印７０Ａに参照されるような気流が発生する。よって、オゾン６８等のガスを筐体２内で効率良く強制的にシリンダ６１に吸い込ませることが可能である。
【００８４】
さらに、第６実施形態の画像形成装置１Ｆでは、気流発生部の一例であるシリンダ６１は帯電器５に向けて、矢印７０Ａに参照されるような気流を発生させる。つまり、筐体２内では、オゾン６８の発生源である帯電器５に向けて、図２２に示す矢印７０Ａに参照されるような気流が発生する。よって、オゾン６８等のガスを筐体２内で一段と効率良く強制的にシリンダ６１に吸い込ませることが可能である。
【００８５】
さらに、第６実施形態の画像形成装置１Ｆでは、開閉扉７に対し開動作及び閉動作のうちいずれか一方の動作がなされる際に、気流発生部の一例であるシリンダ６１が矢印７０Ｂに参照されるような気流を発生させる。この気流７０Ｂにより、筐体２内の気体を筐体２外に排出口８を介して排出する。具体的には、開閉扉７の閉動作の動きに連動して、気流発生部の一例であるシリンダ６１が矢印７０Ｂに参照されるような気流を発生させる。この気流７０Ｂにより、筐体２内の気体が筐体２外に排出口８を介して排出される。よって、ファンレス仕様であってもオゾン６８等のガスを筐体２外に強制的にシリンダ６１から吐き出させることが可能である。
【００８６】
さらに、第６実施形態の画像形成装置１Ｆでは、開閉扉７が開動作される際に気流発生部の一例であるシリンダ６１が気体を吸い込む。これに対して、開閉扉７が閉動作される際に気流発生部の一例であるシリンダ６１が気体を排出する。つまり、気流発生部の一例であるシリンダ６１が矢印７０Ａに参照されるような気流を発生させるための気体は、開閉扉７の開動作の動きに連動して、オゾン６８等のガスとともに気流発生部の一例であるシリンダ６１に吸い込まれる。さらに、開閉扉７の閉動作の動きに連動して、オゾン６８等のガスが気流発生部の一例であるシリンダ６１から矢印７０Ｂに参照されるような気流とともに排出される。この気流７０Ｂにより、オゾン６８等のガスが含まれた筐体２内の気体が筐体２外に排出口８を介して排出される。よって、オゾン６８等のガスを筐体２外に効率良く強制的にシリンダ６１から吐き出させることが可能である。
【００８７】
さらに、第６実施形態の画像形成装置１Ｆでは、筐体２に設けられた排出口８と画像形成部の一例である帯電器５との間に気流発生部の一例であるシリンダ６１を設けている。つまり、排出口８と気流発生部の一例であるシリンダ６１が近くに位置する。よって、気流発生部の一例であるシリンダ６１から矢印７０Ｂに参照されるように発生された気流の殆どを排出口８から筐体２外に強制的に排出させる機構設計が容易となる。
【００８８】
殊に、第６実施形態の画像形成装置１Ｆでは、開閉扉７が開動作される際に気流発生部の一例であるシリンダ６１が画像形成部の一例である帯電器５の側から気体を吸い込む。これに対して、開閉扉７が閉動作される際に気流発生部の一例であるシリンダ６１が排出口８の側へ気体を排出する。つまり、開閉扉７の開動作の動きに連動して、オゾン６８等のガスは、画像形成部の一例である帯電器５の側から気流発生部の一例であるシリンダ６１に吸い込まれる。吸い込まれたガスは、気流発生部の一例であるシリンダ６１が矢印７０Ａに参照されるような気流を発生させるためのガスの一部又は全部となる。さらに、開閉扉７の閉動作の動きに連動して、オゾン６８等のガスを含んだ矢印７０Ｂに参照されるような気流は、気流発生部の一例であるシリンダ６１から排出口８の側に向かって発生する。そのため、オゾン６８等のガスを含んだ矢印７０Ｂに参照されるような気流の殆どは、排出口８から筐体２外に排出される。よって、オゾン６８等のガスを筐体２外に一段と効率良く強制的にシリンダ６１から吐き出させることが可能である。
【００８９】
［８．まとめ］
以上より、各実施形態の画像形成装置１Ａ，１Ｂ，１Ｃ，１Ｄ，１Ｅ，１Ｆでは、開閉扉７の開閉動作の動きに連動して、オゾン２６，３７，４５，５６，６８等のガスを筐体２内で強制的に拡散又は筐体２外に強制的に排出させる。つまり、強制的なガス拡散又は強制的なガス排出の駆動源を開閉扉７の開閉動作の動きからとっている。よって、各実施形態の画像形成装置１Ａ，１Ｂ，１Ｃ，１Ｄ，１Ｅ，１Ｆの消費電力を抑えることができる。
【００９０】
さらに、各実施形態の画像形成装置１Ａ，１Ｂ，１Ｃ，１Ｄ，１Ｅ，１Ｆでは、開閉扉７の開閉動作の動きに連動して、オゾン２６，３７，４５，５６，６８等のガスを筐体２内で強制的に拡散又は筐体外に強制的に排出させる。つまり、強制的なガス拡散又は強制的なガス排出が開閉扉７の開閉動作の動きと同時に行われる。よって、開閉扉７の開閉動作の動きに対するダンパー効果がある。
【００９１】
さらに、各実施形態の画像形成装置１Ａ，１Ｂ，１Ｃ，１Ｄ，１Ｅ，１Ｆでは、オゾン２６，３７，４５，５６，６８等のガスを筐体２内で強制的に拡散又は筐体２外に強制的に排出させる。つまり、筐体２内にオゾン２６，３７，４５，５６，６８等のガスが充満することはない。よって、オゾン２６，３７，４５，５６，６８等のガスでユーザーに不快感を与えることはない。
【００９２】
［９．その他］
尚、本発明は上記実施形態に限定されるものでなく、その趣旨を逸脱しない範囲で様々な変更が可能である。
【００９３】
［９．−１  シリンダの動作の方式］
例えば、第６実施形態の画像形成装置１Ｆにおいて、上記図２４に表されたシリンダ６１のように、１つのシリンダで２つの開口部が開閉する動作の方式には、例えば、図２５に表されるようなスイングキャッチ方式や、図２６に表されるようなウエハキャッチ方式がある。
【００９４】
スイングキャッチ方式では、図２５に表されるように、１つのシリンダ７１が有する２つの開口部７２Ａ，７２Ｂに対して、弁体７３Ａ，７３Ｂ、アーム７４Ａ，７４Ｂ、及びヒンジピン７５Ａ，７５Ｂがそれぞれ設けられる。また、シリンダ７１はピストン７６を有する。
【００９５】
開口部７２Ａは弁体７３Ａにより開閉される。弁体７３Ａはアーム７４Ａの一端に固定した状態に付けられる。アーム７４Ａの他端はヒンジピン７５Ａによって正逆方向に回転可能に支持される。ヒンジピン７５Ａはシリンダ７１の内面の定まった位置に動かないようにされる。弁体７３Ａはシリンダ７１内の適当な位置に置かれる。弁体７３Ａの側面周部には勾配がある。その勾配により、弁体７３Ａは開口部７２Ａを介してシリンダ７１の内から外へ通過できないようになっている。
【００９６】
開口部７２Ｂは弁体７３Ｂにより開閉される。弁体７３Ｂはアーム７４Ｂの一端に固定した状態に付けられる。アーム７４Ｂの他端はヒンジピン７５Ｂによって正逆方向に回転可能に支持される。ヒンジピン７５Ｂはシリンダ７１の外面の定まった位置に動かないようにされる。弁体７３Ｂはシリンダ７１外の適当な位置に置かれる。弁体７３Ｂの側面周部には勾配がある。その勾配により、弁体７３Ｂは開口部７２Ｂを介してシリンダ７１の外から内へ通過できないようになっている。
【００９７】
よって、図２５の左側に表されるように、ピストン７６が上昇すると、弁体７３Ａ，７３Ｂはシリンダ７１内に向かって移動する。そのため、開口部７２Ａから弁体７３Ａが離れ、開口部７２Ｂには弁体７３Ｂが隙間無くくっつく。従って、矢印７７に参照されるような気流が発生し、開口部７２Ａを介したシリンダ７１内に気体が吸い込まれる。
【００９８】
これに対して、図２５の右側に表されるように、ピストン７６が下降すると、弁体７３Ａ，７３Ｂはシリンダ７１外に向かって移動する。そのため、開口部７２Ａには弁体７３Ａが隙間無くくっつき、開口部７２Ｂから弁体７３Ｂが離れる。従って、矢印７８に参照されるような気流が発生し、開口部７２Ｂを介してシリンダ７１内の気体が吐き出される。
【００９９】
一方、ウエハキャッチ方式では、図２６に表されるように、１つのシリンダ８１が有する２つの開口部８２Ａ，８２Ｂに対して、弁体８３Ａ，８３Ｂ、スプリング８４Ａ，８４Ｂ、及び回動軸８５Ａ，８５Ｂがそれぞれ設けられる。また、シリンダ８１はピストン８６を有する。
【０１００】
開口部８２Ａは弁体８３Ａより開閉される。弁体８３Ａはシリンダ８１内で適当な位置に取り付けられる。弁体８３Ａの側面周部には勾配がある。その勾配により、弁体８３Ａは開口部８２Ａを介してシリンダ８１の内から外へ通過できないようになっている。さらに、弁体８３Ａは、回動軸８５Ａを介して、シリンダ８１内に向かって折れ曲がるように変形できるようになっている。但し、弁体８３Ａは、スプリング８４Ａによって押し付けられる。
【０１０１】
開口部８２Ｂは弁体８３Ｂより開閉される。弁体８３Ｂはシリンダ８１外で適当な位置に取り付けられる。弁体８３Ｂの側面周部には勾配がある。その勾配により、弁体８３Ｂが開口部８２Ｂを介してシリンダ８１の外から内へ通過できないようになっている。さらに、弁体８３Ｂは、回動軸８５Ｂを介して、シリンダ８１外に向かって折れ曲がるように変形できるようになっている。但し、弁体８３Ｂは、スプリング８４Ｂによって押し付けられる。
【０１０２】
よって、図２６の左側に表されるように、ピストン８６が上昇すると、弁体８３Ａ，８３Ｂはシリンダ８１内に向かって移動する。そのため、開口部８２Ａから弁体８３Ａがシリンダ８１内に向かって折れ曲がるように変形して離れ、開口部８２Ｂには弁体８３Ｂが押し付けられて隙間無くくっつく。従って、矢印８７に参照されるような分岐気流が発生し、開口部８２Ａを介してシリンダ８１内に気体が吸い込まれる。
【０１０３】
これに対して、図２６の右側に表されるように、ピストン８６が下降すると、弁体８３Ａ，８３Ｂはシリンダ８１外に向かって移動する。そのため、開口部８２Ａには弁体８３Ａが押し付けられて隙間無くくっつき、開口部８２Ｂから弁体８３Ｂがシリンダ８１外に向かって折れ曲がるように変形して離れる。従って、矢印８８に参照されるような分岐気流が発生し、開口部８２Ｂを介してシリンダ８１内の気体が吐き出される。
【０１０４】
［９．−２  シリンダの形状］
また、第６実施形態の画像形成装置１Ｆでは、シリンダ６１に代えて、図２７（ａ）（ｂ）（ｃ）に参照されるようなシリンダ９１を設けてもよい。シリンダ９１は、ピストン軸９２、ピストン９３、及び開口部９４を有する。そして、図２７（ｂ）に参照されるように、ピストン軸９２及びピストン９３が上昇する状態にあると、開口部９４に吸い込まれる矢印９５に参照されるような気流が発生する。一方、図２７（ｃ）に参照されるように、ピストン軸９２及びピストン９３が下降すると、開口部９４から吐き出される矢印９６に参照されるような気流が発生する。
【０１０５】
このような場合でも、開閉扉７の開閉動作の動きに連動して、気流発生部の一例であるシリンダ９１が、筐体２内に各矢印９５，９６に参照されるような気流を発生させる。従って、筐体２内に設けられた画像形成部の一例である帯電器５から発生したオゾン６８は、開閉扉７の開閉動作の動きに連動して、気流発生部の一例であるシリンダ９１から各矢印９５，９６に参照されるように発生された気流により筐体２内で拡散される。つまり、ファンレス仕様であってもオゾン６８等のガスを筐体２内で強制的にシリンダ９１で拡散させることが可能である。
【０１０６】
さらに、このような場合でも、画像形成部の一例である帯電器５の周辺に気流発生部の一例であるシリンダ９１を設けている。帯電器５はオゾン６８の発生源である。つまり、筐体２内では、オゾン６８の発生源である帯電器５の周辺で、各矢印９５，９６に参照されるような気流が発生する。よって、オゾン６８等のガスを筐体２内で効率良く強制的にシリンダ９１で拡散させることが可能である。
【０１０７】
さらに、このような場合でも、気流発生部の一例であるシリンダ９１は帯電器５に向けて、各矢印９５，９６に参照されるような気流を発生させる。つまり、筐体２内では、オゾン６８の発生源である帯電器５に向けて、各矢印９５，９６に参照されるような気流が発生する。よって、オゾン６８等のガスを筐体２内で一段と効率良く強制的にシリンダ９１で拡散させることが可能である。
【０１０８】
また、第６実施形態の画像形成装置１Ｆでは、シリンダ６１に代えて、図２８（ａ）（ｂ）（ｃ）に参照されるようなボックス形状のシリンダ１０１であってもよい。シリンダ１０１は、ピストン軸１０２、ピストン１０３、及び開口部１０４を有する。開口部１０４の幅は帯電器５の幅以上にする。そして、図２８（ｂ）に参照されるように、ピストン軸１０２及びピストン１０３が上昇する状態にあると、開口部１０４に吸い込まれる矢印１０５に参照されるような気流が発生する。一方、図２８（ｃ）に参照されるように、ピストン軸１０２及びピストン１０３が下降すると、開口部１０４から吐き出される矢印１０６に参照されるような気流が発生する。このような場合でも、上記シリンダ９１を設けた場合と同様な効果を奏することが可能である。
【０１０９】
尚、図２９に表されるように、上記図２７に表されたシリンダ９１に対しては、開口部９４の反対側に開口部９７を設けてもよい。開口部９４，９７は、逆止弁・フラッパー等の構造で制御する。このようにすれば、図２２及び図２３に表されたようにシリンダ６１を設けた第６実施形態の画像形成装置１Ｆと同様な効果を奏することが可能である。
【０１１０】
［９．−３  排出口］
また、各実施形態の画像形成装置１Ａ，１Ｂ，１Ｃ，１Ｄ，１Ｅ，１Ｆでは、図３に表された排出口８に代えて、図３０に表された排出口２０８を筐体２に設けてもよい。図３０に表された排出口２０８では、多数の格子フィン２０８Ｂが連動して上方向又は下方向にスライドすることにより、排出口２０８が開閉される。
【符号の説明】
【０１１１】
１    画像形成装置
１Ａ  第１実施形態の画像形成装置
１Ｂ  第２実施形態の画像形成装置
１Ｃ  第３実施形態の画像形成装置
１Ｄ  第４実施形態の画像形成装置
１Ｅ  第５実施形態の画像形成装置
１Ｆ  第６実施形態の画像形成装置
２    筐体
３    レーザースキャナ
４    感光体（画像形成部）
５    帯電器（画像形成部）
７    開閉扉
８    排出口
１１    回動板（気流発生部）
２１    鞴（気流発生部）
３１    クロスフローファン（気流発生部）
４１    鞴（気流発生部）
５１    鞴（気流発生部）
６１    シリンダ（気流発生部）
【図１】
2013072909.tif 000003
【図２】
2013072909.tif 000004
【図３】
2013072909.tif 000005
【図４】
2013072909.tif 000006
【図５】
2013072909.tif 000007
【図６】
2013072909.tif 000008
【図７】
2013072909.tif 000009
【図８】
2013072909.tif 000010
【図９】
2013072909.tif 000011
【図１０】
2013072909.tif 000012
【図１１】
2013072909.tif 000013
【図１２】
2013072909.tif 000014
【図１３】
2013072909.tif 000015
【図１４】
2013072909.tif 000016
【図１５】
2013072909.tif 000017
【図１６】
2013072909.tif 000018
【図１７】
2013072909.tif 000019
【図１８】
2013072909.tif 000020
【図１９】
2013072909.tif 000021
【図２０】
2013072909.tif 000022
【図２１】
2013072909.tif 000023
【図２２】
2013072909.tif 000024
【図２３】
2013072909.tif 000025
【図２４】
2013072909.tif 000026
【図２５】
2013072909.tif 000027
【図２６】
2013072909.tif 000028
【図２７】
2013072909.tif 000029
【図２８】
2013072909.tif 000030
【図２９】
2013072909.tif 000031
【図３０】
2013072909.tif 000032